(57)【要約】【課題】  電子カードや、外部端子の接続不良（外れること）を防止するとともに、露出による破損を防止することが可能なコンピュータ機器を提供する。【解決手段】  筐体４は、ＰＣカード２が挿入可能なカード挿入スロット３が外部に設けられ、挿入されるＰＣカード２が装着されるコネクタを内部に有する。蓋５は、筐体４のカード挿入スロット３を開放および閉鎖可能で、閉鎖時に、ＰＣカード２の飛出し防止および外部端子であるアンテナ端子２ａなどに対する電気的な接続を行うので、ＰＣカード２の装着時に、ＰＣカード２自体の外れと、外部端子への接続の外れとを防止することが可能となる。【選択図】      図２
2007193699.tif 000002
【特許請求の範囲】
【請求項１】
外部端子付きの電子カードと電気的接続するためのカード挿入スロットを備えるコンピュータ機器であって、
前記カード挿入スロットの開口部を開放および閉鎖可能な蓋を備え、前記蓋は該開口部の閉鎖時に、該開口部から挿入されている電子カードの外部端子と電気的な接続を維持することを特徴とするコンピュータ機器。
【請求項２】
前記カード挿入スロットは、前記車載機器に無線通信機能を付加するアンテナ接続用外部端子を有する通信用カードに対応可能なスロットであり、
前記蓋は、アンテナ接続用外部端子と電気的な接続を維持することを特徴とする請求項１記載のコンピュータ機器。
【請求項３】
前記蓋には、アンテナ接続用外部端子と電気的に接続されるカード用接続端子が設けられることを特徴とする請求項１または２記載のコンピュータ機器。
【発明の詳細な説明】
【技術分野】
【０００１】
本発明は、ＰＣカード（ＰＣ：Personal Computer）などを着脱可能なカード挿入スロットを備えるコンピュータ機器に関する。
【背景技術】
【０００２】
従来から、自動車に搭載されて用いられるナビゲーション装置やオーディオ装置等の車載機器でも、パーソナルコンピュータ用のメモリカードやＰＣカードなどの電子回路が内蔵されたカード（電子カード）を挿入可能なカード挿入スロットを備えるものがある。ＰＣカードは、パーソナルコンピュータへの装着使用を目的として製造され、ＰＣＭＩＡ（Personal Computer Memory Card International Association）カードとして標準化されている。電子カードにおいて、カードにチューナや通信モジュールを内蔵させ、車載機器に通信機能を付加し、インターネットへの接続やテレビ放送の受信などの機能を提供するものがある。図１は、従来技術に係るコンピュータ機器５０と電子カード５１との関係を表す斜視図である。電子カード５１は図１に示すように、コンピュータの側面に設けられたスロットに挿入され、電子カード５１の一部がスロットから露出している。最近では、車内でもインターネットやデジタルテレビを受信できるようにしており、このような電子カードを利用して通信機能を付加することも考えられる。しかし、車載機器では、走行中に振動や衝撃を受けて、電子カードが挿入スロットから飛び出してしまうおそれがある。電子カードの飛び出し防止を図るため、車載機器の筐体内で、カード挿入口の近傍に、カード挿入口を開閉するシャッタ機構を設ける技術が提案されている（たとえば、特許文献１参照。）。
【０００３】
なお、パーソナルコンピュータ５０などのカード挿入スロット５０ａでは、電子カードを取り出すためのイジェクト機構が設けられている。しかし同様なイジェクト機構を設けると、電子カードがカード挿入口から飛び出し、落下して破損してしまうおそれがある。このような対策として、電子カードの通過を許容しながらの摩擦抵抗を与える抵抗部材をカード挿入口近傍に配置しておき、イジェクト時の電子カード飛び出し防止を図る技術も提案されている（たとえば、特許文献２参照。）。
【０００４】
また、ＰＣカードなどは、無線通信用のアンテナ端子など、外部接続端子を備えている場合がある。電子カードをカード挿入スロットに挿入している状態で、筐体から外部接続端子に接続するためのケーブル付きのコネクタを引き出して外部接続端子に接続し、電子カードの非挿入時には、ケーブルを筐体内に引き込む技術も提案されている（たとえば、特許文献３参照。）。
【０００５】
【特許文献１】特開２００２−２６９５１３号公報
【特許文献２】特開２００２−１５０２２５号公報
【特許文献３】特開２００２−１０８４９７号公報
【発明の開示】
【発明が解決しようとする課題】
【０００６】
特許文献１に開示されているようなシャッタ機構では、電子カードにアンテナ端子などが設けられている場合に、アンテナと接続するために露出すべきアンテナ端子が、シャッターにより覆われてしまうので、接続を行うことが困難になる。特許文献２および特許文献３では、電子カードがカード挿入スロットに挿入されても、電子カードの一部がカード挿入スロットから露出しているので、アンテナなどに接続するコネクタを装着可能であるけれども、装着部分はカード挿入口で外部に露出してしまう。走行中に振動や衝撃をうけるおそれがある車載機器では、コネクタが外力を受けて、電子カードの外部端子から外れたり、電子カード自体がカード挿入スロットから外れるおそれがある。また、露出させることで、障害物と接触するおそれがあり、これにより、電子カードの接触不良やコネクタの接続不良さらには電子カードやコネクタが破損するおそれがある。これにより、たとえば通信用の電子カードを使用する場合、通信中に電子カードが外れたり、アンテナのコネクタが外れると、通信が中断してしまうこともあり得る。
【０００７】
本発明の目的は、電子カードや、外部端子の接続不良（外れること）を防止するとともに、露出による破損を防止することが可能なコンピュータ機器を提供することである。
【課題を解決するための手段】
【０００８】
本発明（１）は、外部端子付きの電子カードと電気的接続するためのカード挿入スロットを備えるコンピュータ機器であって、
前記カード挿入スロットの開口部を開放および閉鎖可能な蓋を備え、前記蓋は該開口部の閉鎖時に、該開口部から挿入されている電子カードの外部端子と電気的な接続を維持することを特徴とするコンピュータ機器である。
【０００９】
また本発明（２）は、前記カード挿入スロットは、前記車載機器に無線通信機能を付加するアンテナ接続用外部端子を有する通信用カードに対応可能なスロットであり、
前記蓋は、アンテナ接続用外部端子と電気的な接続を維持することを特徴とする。
【００１０】
また本発明（３）は、前記蓋には、アンテナ接続用外部端子と電気的に接続されるカード用接続端子が設けられることを特徴とする。
【発明の効果】
【００１１】
本発明（１）によれば、蓋で電子カードの飛び出しを防止できるとともに、挿入された電子カードに蓋を押し当てるので、端子間の電気的接続が維持され、接触不良を起こすことがなく、確実に接続することができる。また、露出させずにアンテナの接続が行われており、露出による破損を防止することができる。開口部の閉鎖時に、電子カード自体の外れと、外部端子への接続の外れとを防止することが可能となる。
【００１２】
また本発明（２）によれば、蓋によって、アンテナ接続用外部端子と電気的な接続を維持できるので、接続信頼性を高めることができ、通信が不所望に中断してしまうことを防止することができる。
【００１３】
また本発明（３）によれば、電子カードをカード挿入スロットの開口部に挿入し、該開口部を蓋で閉鎖すると、蓋に設けられるカード用接続端子がアンテナ接続用外部端子と電気的に接続される。このように、蓋を取付けて開口部を閉鎖して電子カードの外れを防止し、電子カードのアンテナ接続用外部端子に対する電気的接続も併せて行うことができる。
【発明を実施するための最良の形態】
【００１４】
本発明の説明では、コンピュータ機器の一例としてナビゲーション装置に適用した場合について説明する。図２は、本発明の実施の一形態としてのナビゲーション装置１の主要部分の外観構成を示す斜視図であり、図２（ａ）は蓋５の離脱状態を表す斜視図、図２（ｂ）は蓋５の装着状態を表す斜視図である。ナビゲーション装置１は、自動車の運転席近傍のインパネやダッシュボードなどと呼ばれる部分に取付けて使用される。
【００１５】
このような使用形態では、前面側に表示部や記録媒体のスロットが配置されるため、前面側が車室側に露出する。ナビゲーション装置１でＰＣカード２を装着しての使用を可能にするためには、カード挿入スロット３の開口部を、筐体４の前面に設ける必要がある。筐体４の内部には、ＰＣカード２に適合するコネクタが設けられ、カード挿入スロット３に挿入されるＰＣカード２とナビゲーション装置１との電気的接続が行われる。ＰＣカード２は、テレビジョン放送の受信を可能にするＴＶチューナを内蔵する。このＰＣカード２には、アンテナへの接続用に、アンテナ端子２ａなどを備えている。ＰＣカード２をカード挿入スロット３に挿入しているだけでは、ＰＣカード２の機能を使用することができず、アンテナ端子２ａにアンテナを接続しなければならない。
【００１６】
図２（ａ）は、ナビゲーション装置１に蓋５を装着可能であることを示す。ＰＣカード２をＰＣカードスロット３に挿入している状態で、蓋５を装着する。蓋５は、カード挿入スロット３に挿入されているＰＣカード２を含めて、カード挿入スロット３の開口部を閉鎖し、閉鎖時の内側に接続コネクタ６を備えている。
【００１７】
図２（ｂ）は、筐体４の前面に、蓋５を装着している状態を示す。接続コネクタ６は、蓋５をカード挿入スロット３の開口部を閉鎖するように筐体４に装着すると、ＰＣカード２のアンテナ端子２ａと接続される。蓋５の内側には、蓋側端子７および配線パターン８も設けられる。配線パターン８は、接続コネクタ６と蓋側端子７とを、電気的に接続する。蓋側端子７は、蓋５の筐体４への装着時に、筐体４の前面側に設けられる筐体側端子９に電気的に接続される。筐体側端子９は、たとえば筐体４の裏面側に設けられるアンテナ端子を介して、外部アンテナに接続される。蓋５は、取付ねじ１０で筐体４に固定される。このような蓋５の固定は、ＰＣカード２の着脱の頻度が高くない場合に適している。
【００１８】
筐体４は、ＰＣカード２が挿入可能なカード挿入スロット３の開口部が外部に設けられ、開口部を介して挿入されるＰＣカード２が装着されるコネクタ（図示省略）を内部に有するので、ＰＣカード２をカード挿入スロットに挿入して、ＰＣカード２を筐体４内部の図示せぬコネクタに装着することができる。このように蓋５は、筐体４の開口部を開放および閉鎖可能で、開口部の閉鎖時に、開口部から挿入されているＰＣカード２が抜け落ちることを防止できるとともに、蓋５に接続端子を設けたことで、外部端子をスロットから露出することなく外部端子であるアンテナ端子２ａなどに対する電気的な接続を行うことが可能となる。
【００１９】
アンテナ端子２ａと接続コネクタ６との接続は、蓋５によって覆われている状態で行われるので、アンテナ端子２ａから接続コネクタ６が抜けるのも防止することができる。
【００２０】
図３は、本発明の実施の他の形態としてのナビゲーション装置１１の主要部分の外観構成を示す斜視図であり、図３（ａ）は蓋１５を開いた状態を表す斜視図、図３（ｂ）は蓋１５を閉じた状態を表す斜視図である。ナビゲーション装置１１で、図２に示すナビゲーション装置１に対応する部分には同一の参照符を付し、重複する説明を省略する。図３（ａ）に示すように、ナビゲーション装置１１では、蓋１５がヒンジ２０で筐体４に連結される。蓋１５は、ヒンジ２０を中心とする揺動変位で、ＰＣカード挿入スロット３の開口部を開閉可能である。また、蓋１５は、前面側に表示部や操作釦を備える表示パネルである（後述する）。図３（ｂ）に示すように蓋１５を閉じると、図２と同様に、ＰＣカード２のアンテナ端子２ａは接続コネクタ６に接続される。蓋１５には、蓋側端子７および配線８も設けられる。蓋側端子７は、筐体４の筐体側端子９に接続される。
【００２１】
ナビゲーション装置１１では、蓋１５は筐体４の開口部であるカード挿入スロット３を開閉可能なように、ヒンジ２０で筐体４に支持される。蓋１５には、開口部の閉鎖時に外部端子であるアンテナ端子２ａに接続されるカード用接続端子である接続コネクタ６、および接続コネクタ６と配線８を介して接続される蓋側端子７が設けられる。蓋１５がカード挿入スロット３を閉鎖すれば接続コネクタ６をＰＣカード２の外部端子であるアンテナ端子２ａと接続され、ＰＣカード２の抜け止めと、アンテナ端子２ａの接続とを図ることができる。
【００２２】
図４は、本発明の実施のさらに他の形態としてのナビゲーション装置２１の主要部分について、概略的な外観構成を示す。図２または図３のナビゲーション装置１，１１に対応する部分には同一の参照符を付し、重複する説明を省略する。ナビゲーション装置２１は、図３のナビゲーション装置１１と同様に、蓋１５がヒンジ２０で筐体４側に連結されている。ただし、蓋側端子７は、蓋１５の内部などを経由する配線２８で直接筐体４内に接続する。
【００２３】
ナビゲーション装置２１では、蓋１５は筐体４の開口部であるカード挿入スロット３を開閉可能なように、ヒンジ２０で筐体４に支持される。蓋１５には、カード挿入スロット６の閉鎖時にアンテナ端子２ａに接続されるカード用接続端子である接続コネクタ６、および接続コネクタ６と筐側４とを常時接続する配線材である配線２８が設けられるので、蓋１５がカード挿入スロット３を閉鎖すれば接続コネクタ６をＰＣカード２のアンテナ端子２ａに接続して、ＰＣカード２の抜け止めと、アンテナ端子２ａの接続とを図ることができる。
【００２４】
図５は、図３のナビゲーション装置１１について、概略的な電気的構成を示す。図２のナビゲーション装置１および図４のナビゲーション装置２１でも、基本的には同等の構成を備えている。したがって、以下、ナビゲーション装置１１について説明する事項は、ナビゲーション装置１，２１にも、基本的に適用可能である。ナビゲーション装置１１は、筐体４内に、ＣＰＵ３０、表示器３１、メモリ３２、および操作スイッチ３３（以後、操作ＳＷ３３と称す）を有し、蓋開け操作部３４を含むこともある。ＣＰＵ３０は、ナビゲーション装置１１の全体的な制御を行う。表示器３１は、たとえば、液晶パネルからなる表示パネルを備え、図示せぬ記録媒体からの映像やアンテナ３５を介して受信した映像や情報などの表示を行う。ＣＰＵ３０は、メモリ３２に予め格納されているプログラムコードに従って動作する。メモリ３２には、ＣＰＵ３０の動作用プログラムコードばかりではなく、ユーザ情報など各種データも含まれる。また、メモリ３２の少なくとも一部は不揮発性のフラッシュＲＯＭなどや、電池でバックアップされたスタティックＲＡＭであり、暗証番号などを記憶可能である。操作ＳＷ３３は、ナビゲーション装置１１のユーザが指示などの操作を行うＳＷ（スイッチ）である。蓋開け操作部３５は、蓋１５を閉鎖状態でロックしたり、ロックを解除（開放）したりする操作を行う。蓋開け操作部３５は、図４のナビゲーション装置２１にも設けることができる。
【００２５】
ナビゲーション装置１１では、通信用などのＰＣカード２によってインターネット接続機能などを実現する。ＰＣカード挿入検出時に、ＰＣカード２から取得した番号を、メモリ３２のフラッシュＲＯＭやスタティックＲＡＭに記憶しておいた番号と照合し、一致すると通常動作を行う。番号不一致の場合、一部機能、たとえば通信機能を無効にしたり、ナビゲーション装置１１の全体機能を無効にしたりする。また、予め登録しておいたタイミングで、図示せぬ他の通信手段あるいはＰＣカード２を介して通知先のアドレスへ番号不一致を通知する。ＰＣカード２を取出す場合にも、予め登録しておいた暗証番号を入力させ、番号が一致すれば蓋を開放させて、ＰＣカード２の取出しを可能にする。
【００２６】
図６は、図５に示すナビゲーション装置１１にＰＣカード２を挿入し、蓋１５を閉じる際に、ＣＰＵ３０によって行われる概略的な制御手順を示すフローチャートである。ＰＣカード２のカード挿入スロット３への挿入が検知されると、本制御手順を開始する。ステップｓ１では、挿入されたＰＣカード２の番号を読込む。ＰＣカード２には、ＩＤ番号や製造者コード、カードの種別などの情報を記憶するメモリが搭載されている。ステップｓ２では、メモリ３２内に予め設定される領域に、番号が記憶されているか否かを判断する。何も番号が記憶されていないときは、最初にＰＣカード２が挿入されていたこと意味し、ステップｓ３で読込まれたＰＣカード２の番号をメモリ３２の予め定める領域に記憶する。
【００２７】
ステップｓ２で、記憶番号無しではない、すなわち、メモリ３２の予め定める領域に番号が記憶されていれば、ステップｓ４で、ＰＣカード２から読込んだ番号と照合し、一致するか否かを判断する。照合一致でないと判断するときは、ステップｓ５で、番号不一致を通知する。ステップｓ３またはステップｓ５が終了するか、ステップｓ４で照合一致と判断するときは、本制御手順を終了する。
【００２８】
このように、ＣＰＵ３０は、ＰＣカード２の有する機能を有効または無効に切換える照合手段として機能する。照合手段は、ＰＣカード２が装着されている状態で、ＰＣカード２に関する予め定める認証用の照合処理を行うので、たとえばＰＣカード２に識別情報を記憶しておき、照合手段側でもその識別情報を記憶していれば、照合結果が一致することを条件に、ＰＣカード２の有する機能を有効にし、照合結果が不一致ならＰＣカード２の有する機能を無効に切換えることができる。
【００２９】
またＰＣカード２の照合で、ナビゲーション装置１１全体の機能を有効または無効にすることもできる。ナビゲーション装置１１全体の機能を無効にすれば、たとえばナビゲーション装置が盗難されても、認証用の機能を有するＰＣカード２をカード挿入スロット３に挿入しなければ、ナビゲーション装置１１全体の機能を有効にすることができない。車両から離れる際に、ＰＣカード２をナビゲーション装置１１から取外してＰＣカード２のみ所持するようにしておけば、ナビゲーション装置１１の盗難防止を図ることができる。
【００３０】
また、ＣＰＵ３０は、照合結果に従ってＰＣカード２の有する機能を無効に切換える場合に、無効である旨を表示器３１や図示せぬ音声出力手段により通知するので、無効なＰＣカード２の挿入などの事態の発生を、ユーザは通知によって知ることができる。
【００３１】
図７は、画面表示例を表す図であり、図７（ａ）は図６のステップｓ５での通知や、ＰＣカード２の取出し時の暗証番号などを設定するための画面表示例を表す図、図７（ｂ）は暗証番号入力時の画面表示例とを示す図である。
【００３２】
ナビゲーション装置１１の現在位置情報を利用して、通知の際に車両位置についての情報も付加することができる。ＰＣカード２の機能を無効にするような使用は、車両の盗難などの可能性を意味するので、通知の際の車両位置を把握し、適切な処置を図ることができる。
【００３３】
また通知のタイミングを予め設定することもできるので、一定の周期や移動距離などが経過する毎に、車両の位置などの情報が付加された通知を受けることができる。また、無効である旨を、予め登録しておく通知先に通知することもできるので、車両から離れていても、盗難などがあれば、登録された通知先で通知を受けることができる。この場合、図示せぬ他の通信手段や、一時的にＰＣカードによる通信を可能にさせて、ユーザに通知を行う。
【００３４】
図３や図４に示すナビゲーション装置１１，２１では、たとえば蓋１５をロックして、ＰＣカード２を装着している状態で、ＰＣカード２の抜脱を阻止する阻止手段として機能させることができる。ＣＰＵ３０は、たとえば図７（ｂ）のような表示で、予め定める正当な解除情報としての暗証番号などが入力されているか否かを照合し、解除情報の入力時に、阻止手段によるカードの抜脱阻止を解除する解除手段として機能する。予め定める正当な暗証番号などを入力しないと、ＰＣカード２の抜脱を阻止するので、ＰＣカード２の盗難防止を図ることができる。
【００３５】
またＣＰＵ３０は、正当な暗証番号解除情報が入力されない場合、正当でない旨を通知することもできる。正当な解除情報が入力されない場合は、正規のユーザによる操作ではなく盗難されようとしているおそれがあり、通知によってユーザは盗難されるおそれがあることを知ることができる。また、正規のユーザであっても、暗証番号の入力を誤ることもあり得るので、表示器３１にて暗証番号が違うことを通知するようにしてもよい。さらに解除情報が正当か否かの照合を、予め定める通信先から取得する情報に基づいて行うこともできる。たとえば管理センタが車両の運用を管理しているような場合、管理センタを通信先として、カードの抜脱阻止を解除するための情報を取得するようにしておくことができる。この場合においても、他の通信手段やＰＣカード２を介して管理センタと通信して情報を取得する。
【００３６】
図８は、本発明の実施形態に係るナビゲーション装置の蓋と表示部とを兼用した構成を表し、図８（ａ）は蓋としての表示部１５Ａを閉じた状態を表す斜視図、図８（ｂ）は蓋としての表示部１５Ａを開いた状態を表す斜視図である。本実施形態に係るナビゲーション装置１１Ａでは、筐体４にヒンジ２０を介して蓋としての表示部１５Ａが連結されている。たとえば図８（ａ）に示すように、表示部１５Ａの裏面部を筐体４に当接させた状態で、この表示部１５Ａから画像を出力可能に構成される。表示部１５Ａの裏面部は、筐体４への当接状態を維持できるので、カード挿入スロット３に挿入されているＰＣカード２が不所望に離脱することを未然に防止できる。しかも表示部１５Ａの裏面部に接続端子を設けたことで、外部端子をカード挿入スロット３から露出することなくアンテナ端子２ａなどに対する電気的な接続を行うことが可能となる。アンテナ端子２ａと接続コネクタ６との接続は、表示部１５Ａによって覆われている状態で行われるので、アンテナ端子２ａから接続コネクタ６が抜けるのも防止することができる。蓋と表示部１５Ａとを兼用した構成にしたことで、部品点数の低減を図り、装置全体の製作コストの低減を図ることができる。その他図３に示すナビゲーション装置１１と同様の作用効果を奏する。  本実施形態では、ナビゲーション装置に適用したが、これに限らずオーディオ装置や車載用テレビジョン受信機であってもよい。また、テレビチューナ内蔵ＰＣカードを適用した場合で説明したが、これに限定されず、ＬＡＮ（ＬＡＮ：Local Area Network）カードやその他のＰＣカードでも適宜、適用可能である。
【図面の簡単な説明】
【００３７】
【図１】従来技術に係るコンピュータ機器５０と電子カード５１との関係を表す斜視図である。
【図２】本発明の実施の一形態としてのナビゲーション装置１の主要部分の外観構成を示す斜視図であり、図２（ａ）は蓋５の離脱状態を表す斜視図、図２（ｂ）は蓋５の装着状態を表す斜視図である。
【図３】本発明の実施の他の形態としてのナビゲーション装置１１の主要部分の外観構成を示す斜視図であり、図３（ａ）は蓋１５を開いた状態を表す斜視図、図３（ｂ）は蓋１５を閉じた状態を表す斜視図である。
【図４】本発明の実施のさらに他の形態としてのナビゲーション装置２１の主要部分について、概略的な外観構成を示す斜視図である。
【図５】図３のナビゲーション装置１１について、概略的な電気的構成を示すブロック図である。
【図６】図５に示すナビゲーション装置１１にＰＣカード２を挿入し、蓋１５を閉じる際に、ＣＰＵ３０によって行われる概略的な制御手順を示すフローチャートである。
【図７】画面表示例を表す図であり、図７（ａ）は図６のステップｓ５での通知や、ＰＣカード２の取出し時の暗証番号などを設定するための画面表示例を表す図、図７（ｂ）は暗証番号入力時の画面表示例とを示す図である。
【図８】本発明の実施形態に係るナビゲーション装置の蓋と表示部とを兼用した構成を表し、図８（ａ）は蓋としての表示部１５Ａを閉じた状態を表す斜視図、図８（ｂ）は蓋としての表示部１５Ａを開いた状態を表す斜視図である。
【符号の説明】
【００３８】
１，１１，２１  ナビゲーション装置
２  ＰＣカード
２ａ  アンテナ端子
３  カード挿入スロット
４  筐体
５，１５  蓋
６  接続コネクタ
７  蓋側端子
８，２８  配線
９  筐体側端子
１０  取付ねじ
２０  ヒンジ
３０  ＣＰＵ
３１  表示器
３２  メモリ
３４  蓋開け操作部
【図１】
2007193699.tif 000003
【図２】
2007193699.tif 000004
【図３】
2007193699.tif 000005
【図４】
2007193699.tif 000006
【図５】
2007193699.tif 000007
【図６】
2007193699.tif 000008
【図７】
2007193699.tif 000009
【図８】
2007193699.tif 000010